(57)【要約】食品製品を貯蔵するための再閉鎖可能可撓性パッケージおよびその製造方法が、提供される。パッケージは、可撓性膜側壁と、閉鎖された第１の端部と、側壁から分離され、アクセス開口部を提供し得る、閉鎖された第２の端部部分と、カラーとを含む。カラーは、側壁内に形成される、または側壁に取着されることができる。カラーは、側壁の隣接する部分より剛性であり、パッケージの縦軸を中心として回転可能であり、側壁の一部を捻転させ、第２の端部部分の除去後、開口部へのアクセスを遮断する。
2015526349.tif 000002
【特許請求の範囲】
【請求項１】
食品製品を含有する再閉鎖可能パッケージであって、前記パッケージは、
可撓性膜側壁と、
閉鎖された第１の端部と、
前記側壁から分離可能であり、前記食品製品の取り出しのためのアクセス開口部を提供するように構成されている閉鎖された第２の端部部分と、
前記第１および第２の端部を通して通過する縦軸と
を備え、
前記側壁は、前記開口部に近接してカラーを形成するように構成され、前記カラーは、前記側壁の隣接する部分より剛性であり、前記縦軸を中心として回転し、前記側壁の少なくとも一部を捻転させ、前記第２の端部部分の除去後、前記アクセス開口部を遮断するように構成されている、パッケージ。
【請求項２】
前記カラーは、前記縦軸を中心とする前記カラーの回転後、前記側壁の一部が捻転されることに伴って、袋の第１の端部に向かう方向に前記側壁にわたって摺動するように定寸されている、請求項１に記載のパッケージ。
【請求項３】
前記側壁は、外部表面を有し、前記カラーは、前記側壁の外部表面内に形成されている、請求項１に記載のパッケージ。
【請求項４】
前記側壁は、内部表面を有し、前記カラーは、前記側壁の内部表面内に形成されている、請求項１に記載のパッケージ。
【請求項５】
前記カラーおよび側壁は、前記カラーが、前記縦軸を中心として、少なくとも１つの全回転、回転され得るように構成されている、請求項１に記載のパッケージ。
【請求項６】
前記カラーの回転は、前記パッケージの最大高さを２分の１以上減少させる、請求項５に記載のパッケージ。
【請求項７】
前記側壁は、前記カラーの上方に１つ以上のスコアラインを含み、前記１つ以上のスコアラインは、前記第２の端部部分が、前記１つ以上のスコアラインに沿って、前記側壁から分離されることを可能にするように構成されている、請求項１に記載のパッケージ。
【請求項８】
前記カラーは、ねじ山付き部分を含み、前記ねじ山付き部分は、密閉キャップが、前記ねじ山付き部分を介して、前記カラーに係合されることを可能にする、請求項１に記載のパッケージ。
【請求項９】
密閉キャップは、前記カラーに係合され、前記密閉キャップは、前記縦軸を中心とする回転によって、前記カラーから除去可能である、請求項１に記載のパッケージ。
【請求項１０】
前記カラーに除去可能に係合されている注ぎ口をさらに備え、前記注ぎ口は、前記パッケージ内に貯蔵された前記食品製品を分配するように構成されている、請求項１に記載のパッケージ。
【請求項１１】
前記カラーは、閉鎖されている、請求項１に記載のパッケージ。
【請求項１２】
前記カラーは、端部区画間に間隙を伴って開放されている、請求項１に記載のパッケージ。
【請求項１３】
前記縦軸に沿って延在するフィンシールをさらに備え、前記カラーは、前記フィンシールから離間されている第１および第２の端部を有する、請求項１に記載のパッケージ。
【請求項１４】
請求項１に記載のパッケージから、前記食品製品を分配する方法であって、前記方法は、
前記パッケージの側壁から前記第２の端部部分を分離することと、
袋の第１の端部に向かう方向に前記カラーを移動させ、前記食品製品を暴露することと、
前記開口部を通して、前記パッケージから前記食品製品の一部を取り出すことと、
前記袋の第１の端部から前記袋内に残っている前記食品製品の上部表面の上方の位置への方向に前記カラーを移動させることと、
前記縦軸を中心として前記カラーを回転させ、前記側壁の一部を捻転させ、前記アクセス開口部を遮断することと、
前記袋の第１の端部に向かう方向に前記側壁にわたって前記カラーを摺動させることであって、前記開口部は、前記側壁の捻転された部分によって遮断される、ことと
を含む、方法。
【請求項１５】
請求項１の再閉鎖可能可撓性パッケージを製造する方法であって、前記方法は、
管の形態において、包装材料の連続膜を提供することと、
前記膜の一部を密閉し、前記パッケージの第１および第２の端部を形成することと、
前記第１の端部と前記第２の端部との間の前記膜内に前記カラーを形成することであって、前記カラーは、前記第１の端部より前記第２の端部に近接し、前記カラーは、前記膜の隣接する部分より剛性である、ことと
を含む、方法。
【請求項１６】
前記カラーを形成することは、前記膜の第１および第２の端部を相互に向かって移動させ、アコーディオン形状を有する膜の少なくとも一部分を形成することを含む、請求項１５に記載の方法。
【請求項１７】
密閉ジョーを使用して、前記少なくとも１つのアコーディオン形状部分を圧縮することをさらに含む、請求項１６に記載の方法。
【請求項１８】
食品製品を含有するパッケージであって、前記パッケージは、
側壁を有する可撓性膜袋と、
閉鎖された第１の端部と、
前記側壁から分離可能であり、アクセス開口部を提供する閉鎖された第２の端部部分と、
前記第１および第２の端部を通して通過する縦軸と、
前記第２の端部部分と前記第１の端部との間の前記側壁に取着されているカラーと
を備え、
前記第２の端部部分は、前記カラーの上方に延在し、前記カラーは、前記側壁より剛性であり、前記縦軸を中心として回転し、前記側壁の少なくとも一部を捻転させ、前記第２の端部部分の除去後、前記アクセス開口部を遮断するように構成されている、パッケージ。
【請求項１９】
前記カラーは、前記側壁の内部表面上に形成されている、請求項１８に記載のパッケージ。
【請求項２０】
前記第２の端部部分は、シールを含む、請求項１８に記載のパッケージ。
【発明の詳細な説明】
【技術分野】
【０００１】
（分野）
食品製品のためのパッケージ、特に、食品製品のための再閉鎖可能可撓性パッケージが、本明細書で説明される。
【背景技術】
【０００２】
（背景）
可撓性パッケージは、一般に、クラッカー、クッキー、キャンディ、および同等物等の食品製品を貯蔵するために使用される。消費者は、多くの場合、パッケージから食品製品のある分量を分配し、パッケージ内に残る食品製品が新鮮な形態で保存されるように、パッケージを再閉鎖しようとする。多くのパッケージは、再閉鎖特徴を具備せず、消費者に、それを再閉鎖する試みとして、パッケージを捻転および／または折畳させる。しかしながら、パッケージが作製される可撓性材料は、捻転および／または折畳がほどけ、パッケージを開放させる傾向にある。
【発明の概要】
【課題を解決するための手段】
【０００３】
（要約）
食品製品を含有する再閉鎖可能パッケージが、提供される。パッケージは、可撓性膜側壁と、閉鎖された第１の端部と、側壁から分離可能であり、食品製品の取り出しのためのアクセス開口部を提供するように構成される、閉鎖された第２の端部部分と、第１および第２の端部を通して通過する縦軸とを備える。側壁は、開口部に近接してカラーを形成するように構成される。カラーは、側壁の隣接する部分より剛性であり、縦軸を中心として回転し、側壁の少なくとも一部を捻転させ、第２の端部部分の除去後、アクセス開口部を遮断するように構成される。
【０００４】
前述のパッケージから食品製品を分配する方法もまた、提供される。本方法は、パッケージの側壁から第２の端部部分を分離することと、袋の第１の端部に向かう方向にカラーを移動させ、食品製品を暴露することと、開口部を通して、食品製品のある分量をパッケージから取り出すことと、袋の第１の端部から袋内に残っている食品製品の上部表面の上方の位置の方向にカラーを移動させることと、縦軸を中心としてカラーを回転させ、側壁の一部を捻転させ、アクセス開口部を遮断することと、袋の第１の端部に向かう方向に側壁にわたってカラーを摺動させることであって、開口部は、側壁の捻転された部分によって遮断される、こととを含む。
【０００５】
本明細書に説明される再閉鎖可能可撓性パッケージを製造する方法もまた、提供される。本方法は、管の形態において、包装材料の連続膜を提供することと、膜の一部を密閉し、パッケージの第１および第２の端部を形成することと、第１の端部と第２の端部との間の膜内にカラーを形成することとを含む。カラーは、膜の隣接する部分より剛性であり、第１の端部より第２の端部に近接する。
【０００６】
可撓性食品製品を含有する別の再閉鎖可能パッケージも、提供される。パッケージは、側壁と、閉鎖された第１の端部と、側壁から分離可能であり、アクセス開口部を提供するように構成される、閉鎖された第２の端部部分と、第１および第２の端部を通して通過する縦軸と、第２の端部部分と第１の端部との間の側壁に取着されるカラーとを有する、可撓性膜袋を備える。第２の端部部分は、カラーの上方に延在する。カラーは、側壁より剛性であり、縦軸を中心として回転し、側壁の少なくとも一部を捻転させ、第２の端部部分の除去後、アクセス開口部を遮断するように構成される。
【０００７】
パッケージの側壁は、カラーの上方に１つ以上のスコアラインを含み、前記１つ以上のスコアラインは、第２の端部部分が、１つ以上のスコアラインに沿って、側壁から分離されることを可能にするように構成されることができる。カラーは、縦軸を中心とするカラーの回転後、側壁の一部が捻転されることに伴って、袋の第１の端部に向かう方向に側壁にわたって摺動するように定寸されることができる。カラーは、外部表面または側壁の内部表面内に形成されることができ、カラーおよび側壁は、カラーが、縦軸を中心として少なくとも１つの全回転回転され、パッケージの最大高さが減少され得るように構成されることができる。カラーは、ねじ山付き部分を含むことができ、密閉キャップは、ねじ山付き部分を介して、カラーに係合されることができる。カラーは、完全または不完全周縁を有してもよい。パッケージは、縦軸に沿って延在するフィンシールを含むことができ、カラーは、フィンシールから離間され、フィンシールの両側にある、第１および第２の端部を有することができる。
【０００８】
本方法はさらに、膜の第１および第２の端部を相互に向かって移動させ、アコーディオン形状を有する膜の少なくとも一部分を形成することを含んでもよい。方法はさらに、密閉ジョーを使用して、膜のアコーディオン形状部分のうちの少なくとも１つを圧縮することを含んでもよい。
【０００９】
可撓性パッケージは、側壁の構造上の完全性を損なうことなく開放され得、食品製品が完全に消費されるまで、新鮮な形態で保存され得るように再閉鎖可能であり、不正開封防止インジケータを含んでもよい。これらの再閉鎖可能パッケージは、全体的に１つの材料から作製され、現在利用可能なパッケージの安価かつ製造が容易な代替を提供することができる。
【図面の簡単な説明】
【００１０】
【図１】図１は、明確にするために想像線で示される、食品製品の積載を含有する例示的可撓性再閉鎖可能パッケージの側面斜視図である。
【図２】図２は、第２の端部部分を伴わずに示される、図１のパッケージの部分断面における側面立面図である。
【図３】図３は、食品製品が暴露されて示される、図１のパッケージの部分断面における側面立面図である。
【図４】図４は、製品の所望の一部が取り出された後、カラーが上方に移動されて示される、図１のパッケージの部分断面における側面立面図である。
【図５】図５は、カラーが示される方向に回転され、側壁の一部を捻転させて示される、図１のパッケージの部分断面における側面立面図である。
【図６】図６は、カラーが閉鎖位置に示される、図１のパッケージの部分断面における側面立面図である。
【図７】図７は、製品の大量の部分がユーザによって取り出された、図３に類似する図である。
【図８】図８は、別の例示的可撓性再閉鎖可能パッケージの側面斜視図である。
【図９】図９は、カラーが側壁の内部表面内に形成されて示される、別の例示的可撓性パッケージの例示的パッケージの部分断面側面図である。
【図１０】図１０は、図１のパッケージの側壁およびカラーの部分断面側面図である。
【図１１】図１１Ａ−１１Ｄは、図１の可撓性パッケージを製造する例示的方法を図示する。
【図１２】図１２は、明確にするために想像線で示される、食品製品の積載を含有する別の例示的可撓性再閉鎖可能パッケージの側面斜視図である。
【図１３】図１３は、図１２のパッケージの製造の間の垂直形成、充填、および密閉デバイスの関連部分の斜視図である。
【発明を実施するための形態】
【００１１】
（詳細な説明）
図１−７を参照すると、例示的可撓性再閉鎖可能食品パッケージ１０が、提供される。パッケージ１０は、細長い円筒形の袋の形態であり、側壁１２と、底部端部１１と、底部端部１１と反対の上部端部１３を含む。側壁１２は、内部表面１４と、外部表面１５とを有する。側壁１２、底部端部１１、および上部端部１３は、食品製品３０が貯蔵され得る、中空内部１６を画定する。例にすぎないが、食品製品３０は、クラッカーまたはクッキー、ウエハ、チョコレート、チーズビット、レーズン、ナッツ、穀類、キャンディ、および同等物の積載であってもよい。
【００１２】
図１に示されるように、底部端部１１は、閉鎖され、第１のクロスシール１７を含み、上部端部１３は、閉鎖され、第２のクロスシール１８を含む。フィンシール２１は、パッケージ１０の底部および上部端部１１と１３との間に延在する。フィンシール２１は、第１および第２のクロスシール１７と１８を相互接続してもよい。パッケージはさらに、側壁１２内に形成されるカラー２０を含む。カラー２０は、側壁１２の隣接する部分より剛性である。
【００１３】
パッケージ１０はさらに、カラー２０の上方の側壁１２内に形成される除去可能上部端部部分２４を含んでもよい。上部端部部分２４は、側壁１２内に形成される１つ以上のスコアライン２６に沿って、パッケージ１０から分離されてもよい。スコアラインは、パッケージ１０の側壁１２内に形成される任意の脆弱線であると理解されるであろう。側壁１２内のスコアラインは、レーザを用いた焼灼によって形成されることができるが、他の好適な技法、例えば、ダイカットまたはマイクロアブレーションによって形成されてもよい。スコアライン２６は、パッケージ１０の外部表面１５内に形成されるように示されるが、スコアライン２６は、パッケージ１０の内部表面１４内に形成されてもよいことを理解されるであろう。
【００１４】
図１を参照すると、スコアライン２６は、上部端部部分２４が完全にカラー２０の上方にあるように、上部端部１３とカラー２０との間にあることができる。代替として、スコアライン２６は、上部端部部分２４がカラー２０の下方に延在するように、カラー２０とパッケージ１０の第１の端部１１との間にあってもよい。除去可能上部端部部分２４は、上部端部部分２４の不在またはその中の損傷によって、パッケージ１０が以前に開放および／または損傷されたことを示し得るように、不正開封防止特徴を提供する。
【００１５】
フィンシール２１は、図１に示されるように、切り取り用の切れ目２２を含んでもよい。切れ目２２は、フィンシール２１の一部を通したレーザ切断によって、またはダイカット等の他の切断技法によって形成されてもよい。切れ目２２は、スコアライン２６に沿ったパッケージ１０からの上部端部部分２４の分離を促進する、切り取り開始部位を提供する。パッケージ１０は、１つのみの切れ目２２または２つ以上の切れ目を含んでもよいことを理解されるであろう。
【００１６】
パッケージ１０を開封するために、ユーザは、切れ目２２に近接するフィンシール２１を把持し、フィンシール２１を切れ目２２に沿った方向に切り取ることができる。切り取りは、フィンシール２１を通して進み、スコアライン２６に沿って辿り、上部端部部分２４および第２のシール１８をパッケージ１０の残りから分離し、図２に示されるように、アクセス開口部１９を提供し、食品製品３０をユーザに暴露する。縦軸が、図５に示されるように、パッケージ１０の開口部１９および底部端部１１を通して通過する。
【００１７】
ユーザに、パッケージ１０内の食品製品３０へのアクセスを提供するために、カラー２０が、ユーザによって、パッケージ１０の底部端部１１に向かう方向に下向きに移動されることができる。カラー２０および側壁１２のこのような下向きまたは「引き剥がす」摺動移動はさらに、図３に示されるように、食品製品３０をユーザに暴露し、ユーザが、食品製品３０の１人分以上の分量をパッケージ１０から取り出すことを可能にする。
【００１８】
ユーザが、パッケージ１０から食品製品３０の全部ではないが、一部を取り出した後、ユーザは、図４に示されるように、パッケージ１０の底部端部１１から離れる方向に上向きに、パッケージ１０内に残る食品製品３０の上部表面の上方の位置に側壁１２にわたってそれを摺動させることによって、カラー２０を移動させてもよい。
【００１９】
図４を引き続き参照すると、パッケージ１０のカラー２０を含む側壁１２の一部は、側壁１２がユーザによって取り出された食品製品３０の部分と部分係合しなくなった後でも、側壁１２が、その構造上の完全性を失わず、直立のままであるように、十分に剛性である。加えて、カラー２０は、開口部１９の口を形成する側壁１２の一部が内向きに圧潰しないよう防止するために十分に剛性である。したがって、開口部１９の口は、好適なアクセス可能構成、例えば、円形、卵形、またはＣ形状に保存される。
【００２０】
図５を参照すると、パッケージ１０を再閉鎖するために、ユーザは、縦軸を中心として時計回りまたは反時計回り方向にカラー２０を回転させることができる。カラー２０は、パッケージ１０の側壁１２内に形成されるため、可撓性側壁１２の一部は、カラー２０の回転の間、旋回し、捻転構成２５を形成し、実質的に、アクセス開口部１９を閉鎖し、そこへのアクセスを遮断する。
【００２１】
ユーザによってパッケージ１０から取り出された食品製品３０の量に応じて、カラー２０は、カラー２０が、パッケージ１０の底部端部１１に向かって、残りの食品製品３０の上部表面と近接近して下向きに進行し得るように、適切な回転数だけ回転されてもよい。より多くの食品製品３０がパッケージ１０からユーザによって取り出されるにつれて、ユーザは、縦軸を中心としてより多くの回転数だけカラー２０を回転させることによって、パッケージ１０を再閉鎖することができる。例えば、カラー２０は、縦軸を中心として４分の１回転、２分の１回転、２分の１回転から１の全回転、１から２の全回転、２から３の全回転、またはより多くの全回転だけ回転されてもよい。
【００２２】
カラー２０の回転および開口部１９を実質的に閉鎖する捻転構成２５の形成後、カラー２０は、再び、図６に示される閉鎖位置へとパッケージ１０の第１の端部１１に向かう下向きに方向に移動されてもよい。特に、カラー２０は、側壁１２と摩擦係合しながら、側壁１２にわたって、側壁１２の捻転構成２５が、多層被覆を形成し、開口部１９へのアクセスを遮断する、閉鎖位置へと摺動する。
【００２３】
カラー２０が、閉鎖位置にあるとき、カラー２０と側壁１２の外部表面１５の摩擦係合および側壁１２の内部表面１４とパッケージ内に残っている食品製品３０の摩擦係合は、カラー２０が、側壁１２から係脱し、底部端部１１から離れた方向に移動し、カラー２０の逆回転、捻転構成２５の捻転解除、および開口部１９の不慮の開放につながらないように制限することができるであろう。
【００２４】
閉鎖位置におけるパッケージ１０の最大高さは、ユーザによって取り出された食品製品３０の量に依存することを理解されたい。特に、食品製品３０の積載または体積の高さが減少するにつれて、カラー２０は、パッケージ１０の底部端部１１に向かって、側壁１２に沿ってさらに下方に移動され、パッケージ１０の最大高さを徐々に減少させることができる。例えば、食品製品３０の約３分の１が、図４に示されるように、ユーザによって取り出された後、閉鎖位置におけるパッケージ１０の最大高さは、図２に示される完全パッケージと比較して約３分の１だけ減少する。同様に、食品製品３０の２分１以上が、図７に示されるように、パッケージ１０から取り出された後、閉鎖位置におけるパッケージ１０の最大高さは、図２の容器１０の最大高さと比較して２分の１以上減少する。
【００２５】
再閉鎖された後、パッケージ１０を再開封するために、カラー２０は、パッケージ１０の底部端部１１から離れる上向き方向に、側壁１２にわたって摺動させることによって移動され、開口部１９が実質的に開放するように、捻転構成２５を捻転解除するように逆回転されることができる。カラー２０は、次いで、パッケージ１０の底部端部１１に向かう方向に側壁１２にわたって摺動させることによって移動され、パッケージ１０の側壁１２を「引き剥がし」、食品製品３０をユーザにアクセス可能にすることができる。ユーザが、食品製品３０の所望の分量をパッケージ１０から取り出した後、パッケージ１０内に残っている食品製品３０は、再び、前述のように、再閉鎖されることができる。
【００２６】
パッケージ１０は、ポリマー製可撓性膜から作製されてもよい。可撓性膜は、限定されないが、ポリエチレン、ポリプロピレン、ポリエステル、箔積層体、および同等物を含む、種々の材料から作製されてもよい。可撓性膜はまた、ラミネートされてもよく、随意に、金属化層を含んでもよい。パッケージ１０は、約４インチ（１００ミリメートル）〜約１２インチ（３００ミリメートル）の上部端部１３から底部端部１１まで測定される長さと、約２インチ（５０ミリメートル）〜約６インチ（１５０ミリメートル）の幅とを有することができる。パッケージ１０の側壁１２は、１つ以上の層を有してもよく、約０．００４インチ（０．１ミリメートル）〜約０．１２インチ（３ミリメートル）の厚さを有してもよい。パッケージ１０の寸法は、例証目的のためだけに提供され、本開示の原理は、任意のサイズの可撓性膜パッケージと併用されることができることを理解されたい。
【００２７】
パッケージ１０およびカラー２０は、円形であるように示されたが、パッケージ１０およびカラー２０は両方とも、種々の他の形状、例えば、三角形、長方形、正方形、卵形等であってもよい。さらに、図１のパッケージ１０の側壁１２は、開口部１９を閉鎖する捻転構成２５を形成するために、事前に捻転されないように示されたが、パッケージ１０は、例えば、図６に示されるように、カラー２０が閉鎖位置にある状態で事前に捻転された側壁１２を有してもよいことを理解されたい。そのような事前捻転構成は、ユーザが、上部端部部分２４をパッケージ１０から分離後、カラー２０を回転させ、図４に示されるような開放位置へとパッケージ１０の底部端部１１から離れる方向にカラー２０を移動させることによって、側壁１２を捻転解除することを要求し得る。加えて、事前捻転構成は、事前捻転構成の不在が、パッケージ１０が以前に開封されたことを示し得るようなパッケージ１０のための不正開封防止特徴を提供し得る。別のアプローチでは、剥離可能膜が、カラー２０に密閉され、パッケージ１０のための付加的不正開封防止特徴を提供することができる。
【００２８】
パッケージ１０のカラー２０は、図１０に示されるように、パッケージ１０の側壁１２の外部表面１５内に形成されることができる。代替として、カラー１２０は、カラー１２０が、図９に示されるように、少なくとも部分的に、パッケージ１００の中空内部１１６内に位置するように、側壁１１２の内部表面１１４内に形成されてもよい。パッケージ１０および１００のカラー２０、カラー１２０、または側壁１２および１１２の任意の一部の剛性は、ＵＶ光または別の好適な技法によって、選択的硬化を介して増加されてもよいことを理解されたい。
【００２９】
図１に示されるように、上側縁カラー２０は、それに沿って上部端部部分２４がパッケージ１０の側壁１２から分離されるスコアライン２６と平行であり、それに近接近して位置付けられることができる。カラー２０は、側壁１２の隣接する部分より剛性であるため、スコアライン２６へのカラー２０の近接近は、切り取り線の逸脱を制限し、スコアライン３４に沿ったカラー２０の分離のための予測可能かつ一貫した経路を促進する。
【００３０】
随意に、側壁１２と同一の材料から側壁１２内に形成される代わりに、カラー２０は、図８に示されるように、パッケージ２００の側壁２１２に取着される剛性リング２２０の形態であってもよい。カラー２２０は、接着剤、接合、融合、または同等物によって、側壁２１２に取着されてもよい。リング２２０は、プラスチックまたは側壁２１２が作製される材料（または、複数の材料）より剛性の任意の他の好適な材料から作製されてもよい。さらに、パッケージ１０および２００のカラー２０および２２０または側壁の任意の他の部分は、ＵＶ硬化され、ねじ山付き表面を形成してもよい。例えば、ねじ山付き表面２２７は、相補的ねじ山２３１を有する密閉キャップ２２９が、図８に示されるように、パッケージ２００に除去可能に取着されることを可能にしてもよい。また、ノズル、注ぎ口、または別の分配機構が、ねじ山付きカラー２２０またはパッケージ２００の側壁２１２に除去可能に連結され、パッケージ２００内に貯蔵された食品製品のためのディスペンサを提供してもよい。
【００３１】
図１１Ａ−１１Ｄを参照すると、パッケージ１０を作製する方法が、示される。図１１Ａに示されるように、可撓性膜４０が、形成管５０に沿って移動する。膜４０の第１のおよび第２の端部が、図１１Ｂに示されるように、相互に向かう方向に押動され、それぞれ膜４０の複数の襞または層を有する、第１のアコーディオン領域４２および第２のアコーディオン領域４４を形成することができる。
【００３２】
アコーディオン領域４２および４４の形成後、密閉ジョー４３および４５および密閉ジョー４６および４８が、それぞれ、図１１Ｃに示されるように、相互に向かって移動され、アコーディオン領域４２および４４をともに圧接することができる。アコーディオン領域４２および４４のこのような圧縮は、図１１Ｄに示されるように、リング形状のカラー２０の形成をもたらす。続いて、付加的密閉ジョーは、図１のパッケージ１０の第１および第２のクロスシール１７および１８ならびにフィンシール２１を形成することができる。
【００３３】
カラー２０は、膜４０を折畳することによって形成されるように示されるが、カラーは、製造プロセスの間、数回にわたって、膜４０を圧延することによって形成されてもよい。カラー２０は、膜４０の複数の襞の生成を介して、膜４０内に形成されるため、カラー２０は、パッケージ１０の側壁１２を構成するであろう、膜４０の隣接部分を上回る厚さ、したがって、剛性を有することを理解されるであろう。さらに、カラー２０は、図１１Ａ−１１Ｄに示されるように、膜４０の外部表面内に形成されることができるが、カラー２０は、同様に、膜４０の内部表面内に作製され、実質的に、図９に示されるようなカラー１２０をもたらすことができることを理解されるであろう。
【００３４】
図１２−１３を参照すると、別の例示的可撓性再閉鎖可能食品パッケージ３００が、提供される。パッケージ３００は、パッケージ１０および２００と類似するが、閉鎖され、それぞれ、パッケージ１０および２００の全周を囲繞する、パッケージ１０および２００のカラー２０および２２０と異なり、カラー３２０は、端部区画間に間隙を伴って開放される。特に、カラー３２０は、相互から離間される、第１の端部３３２および第２の端部３３４を有する。第１および第２の端部３３２および３３４は、パッケージ３００のフィンシール３２１の両側に位置する。第１および第２の端部３３２および３３４は、図１２に示されるように、フィンシール３２１から等距離であることができる。随意に、カラー３２０の第１および第２の端部３３２および３３４の一方は、カラー３２０の他端よりフィンシール３２１に近くてもよい。
【００３５】
カラー３２０は、カラー２０および２２０が、それぞれ、パッケージ１０および２００を再閉鎖するのと同一の方法でパッケージ３００を再閉鎖することができることを理解されたい。パッケージ３００を再閉鎖するために、ユーザは、縦軸を中心としてカラー３２０を時計回りまたは反時計回り方向に回転させ、可撓性側壁３１２の一部を旋回させ、図５に示される捻転構成２５のように、パッケージ３００を実質的に閉鎖する、捻転構成を形成することができる。
【００３６】
図１３を参照すると、パッケージ３００を製造するための例示的方法が、示される。可撓性膜材料６０が、垂直形成、充填、および密閉デバイス７０に向かう機械方向に送給されるにつれて、供給ローラ６６が、膜６０の両面にカラー３２０を形成する材料を適用するために使用されることができ、レーザアプリケータ６８が、可撓性膜材料６０に切れ目を入れ、スコアライン３２６を形成するために使用されることができる。図１３に示されるように、カラー３２０は、膜６０の幅全体を横断して延在しない。代わりに、第１の間隙が、カラー３２０の第１の端部３３２と膜６０の第１の縁６２との間に形成され、第２の間隙が、カラー３２０の第２の端部３３４と膜６０の第２の縁６４との間に形成される。
【００３７】
可撓性膜６０が、垂直形成、充填、および密閉デバイス７０の形成管７２にわたって送給されるにつれて、膜６０は、形成管７２の周囲に折畳され、間隙６２および６４を含む、膜６０の面積が、一対の縦方向密閉ジョー７４および７６によって、垂直方向に沿って相互に密閉され、フィンシール３２１を形成する。膜６０は、次いで、一対の横方向密閉ジョー７７および７８によって、水平方向に密閉され、上部および底部クロスシール３１７および３１８を形成する。ジョー８７および８８はまた、膜６０を切断または引き離し、図１２を参照して前述のように構成されるカラー３２０を有するパッケージ３００を単体化するために使用されることができる。故に、カラー３２０をフィンシール３２１から離すことは、フィンシール面積内に存在する場合、カラー３２０が追加するであろう材料の過剰厚がなくても、フィンシール３２１の密閉を可能にする。
【００３８】
これらの教示は、食品製品のための費用効果的かつ製造が容易な再閉鎖可能可撓性パッケージを説明する。可撓性パッケージは、除去可能不正開封防止特徴およびパッケージの側壁の隣接する部分より剛性である再閉鎖特徴を有する。これらの再閉鎖可能可撓性パッケージは、全体的に同一の材料から作製され、製造効率を増加させ、かつ製造コストを削減することができる。
【００３９】
当業者は、種々の修正、改変、および組み合わせが、本発明の精神および範囲から逸脱することなく、前述の実施形態に関して行われることができ、そのような修正、改変、および組み合わせが、本概念の範囲内であると見なされるべきであることを認識するであろう。
【図１】
2015526349.tif 000003
【図２】
2015526349.tif 000004
【図３】
2015526349.tif 000005
【図４】
2015526349.tif 000006
【図５】
2015526349.tif 000007
【図６】
2015526349.tif 000008
【図７】
2015526349.tif 000009
【図８】
2015526349.tif 000010
【図９】
2015526349.tif 000011
【図１０】
2015526349.tif 000012
【図１１Ａ】
2015526349.tif 000013
【図１１Ｂ】
2015526349.tif 000014
【図１１Ｃ】
2015526349.tif 000015
【図１１Ｄ】
2015526349.tif 000016
【図１２】
2015526349.tif 000017
【図１３】
2015526349.tif 000018
【国際調査報告】
2015526349.tif 000019
2015526349.tif 000020